(57)【要約】【課題】本発明は、編地を裏返した状態で使う際に、引き返し編成の折り返し部分での孔塞ぎを施した箇所の編目の見栄えを改善できる編地の引き返し編成方法を提供する。【解決手段】折り返しの位置となるＦＢの編針Ｅに係止する編目２をＢＢの編針ｅに目移しする。往路編成として右方向にＦＢの編針Ａ〜Ｄに係止する編目に続けて新たな編目を形成し、空針となったＦＢの編針Ｅに空針ニットで繋ぎとなる編目３を形成する。復路編成として左方向にＦＢの編針Ｄ〜Ａで新たな編目を形成し、往路編成で形成した繋ぎとなる編目３と目移しで戻した編目２を重ね、続けて新たな編目５を形成する。【選択図】図１
2015105455.tif 000002
【特許請求の範囲】
【請求項１】
少なくとも前後一対の針床を有する横編機を用い、往路編成と復路編成と折り返し箇所で孔塞ぎする引き返し編成を行ない、裏返して使用する編地の引き返し編成方法において、
往路編成を行なう前に、少なくとも折り返し箇所に位置する編目を前後一方側の針床を用いてベース編地を編成した後、
往路編成から復路編成への折り返しとなる位置に係止する編目を前後他方側の針床に目移しすることで空針を設ける工程αと、
前記往路編成と前記復路編成間の折り返し箇所で孔塞ぎのための繋ぎとなる編目が
編地の表側に表れるように重ね目を形成する工程βとを備えることを特徴とする編地の
引き返し編成方法。
【請求項２】
前記工程βで形成した繋ぎとなる編目は、往路編成の終端部の編目として目移しで空針となった前後一方側の編針を用いた空針ニットで形成することを特徴とする請求項１記載の編地の引き返し編成方法。
【発明の詳細な説明】
【技術分野】
【０００１】
本発明は、往路編成と復路編成とからなる編地の引き返し編成方法に関する。
【背景技術】
【０００２】
従来より、往路編成と復路編成とからなる引き返し編成方法が行われている。例えば、特許文献１では、セーターの衿ぐり部で引き返し編成を行ってネックホールを設け、その後に衿部を形成する編地の編成方法が開示されている。引き返し編成は、編地に傾斜部を形成する際に利用される。編地幅の一部を往路編成と復路編成により折り返し、ウエール方向の編目差を往復編成による２目単位で設けることで傾斜部を形成するものであるが、その段差部分では、孔塞ぎを行なうためにタック編成を利用している。このタック編成は、往路編成と復路編成の間で行っている。タック位置ではタック目が裏側で重なった状態で編目が詰み、孔塞ぎの役目を果たしている。
【先行技術文献】
【特許文献】
【０００３】
【特許文献１】特開２００６−１１１９９６号公報
【発明の概要】
【発明が解決しようとする課題】
【０００４】
編地は、表目で編成し、所望する風合いの為に裏返した状態で使用する場合がある。この場合、上記タック編成で孔塞ぎを施した箇所のタック目は、裏返すことで製品等の表側となり目立つが特に渡り糸が目立ってしまう。
【０００５】
本発明は、上記事情に鑑みてなされたものであり、編地を裏返した状態で使う際に、引き返し編成の折り返し部分において、孔塞ぎを施した箇所の編目の見栄えを改善できる引き返し編成方法を提供することにある。
【課題を解決するための手段】
【０００６】
本発明は、少なくとも前後一対の針床を有する横編機を用い、往路編成と復路編成と折り返し箇所で孔塞ぎする引き返し編成を行ない、裏返して使用する編地の引き返し編成方法において、往路編成を行なう前に、少なくとも折り返し箇所に位置する編目を前後一方側の針床を用いてベース編地を編成した後、往路編成から復路編成への折り返しとなる位置に係止する編目を前後他方側の針床に目移しすることで空針を設ける工程αと、前記往路編成と前記復路編成間の折り返し箇所で孔塞ぎのための繋ぎとなる編目を編地の表側に表れるように重ね目を形成する工程βとを備えることを特徴とする。
【０００７】
また本発明では、前記工程βで形成した繋ぎとなる編目は、往路編成の終端部の編目として目移しで空針となった前後一方側の編針を用いた空針ニットで形成することを特徴とする。
【発明の効果】
【０００８】
本発明によれば、ベース編地の編目を目移しで一旦退避させ、折り返し箇所で孔塞ぎのための繋ぎとなる編目を編地の表側に表れるようにすることで、裏返して使用した場合に引き返し編成の箇所の渡り糸を目立たなくすることが出来る。
【０００９】
また本発明によれば、往路編成の終端部の編目として形成する繋ぎとなる編目に対し、折り返す際に渡る編糸（シンカーループ）同士を交差させる交差部を設け、編糸の拡がりを抑えることができ、目立たず綺麗に仕上げることできる。
【図面の簡単な説明】
【００１０】
【図１】本発明の実施例である引き返し編成方法の編成図である。
【図２】（ａ）は実施例である引き返し編成方法（往路で繋ぎとなる編目形成）の編成時のループ概略図、（ｂ）は使用時のループ概略図の一部である。
【図３】本発明の実施例である引き返し編成方法（復路で繋ぎとなる編目形成）の使用時のループ概略図の一部である。
【発明を実施するための形態】
【００１１】
以下、図１を用いて本発明の一実施例としての引き返し編成方法を説明する。本実施例で編成に使用する横編機は、前後一対の針床を備えた二枚ベッド横編機であり、各針床間で目移しが可能である。編成に使用する横編機は四枚ベッドでもよく、横編機に備える編針は、べら針または複合針のいずれであってもよい。また説明の便宜のため、編針の数や往路と復路の折り返し回数は実際の編成よりも少なくしている。図１では、図中左側の数字は編成ステップ（Ｓ）を示し、左右方向の矢印は編成方向を、上下方向の矢印は目移し方向を示す。ＦＢは前針床を、ＢＢは後針床を示す。大文字のＡ〜ＧはＦＢの編針を、小文字のａ〜ｇはＢＢの編針を示す。また、黒丸印はその編成ステップで形成される編目を、白丸印はその編成ステップの編成に関係せず編針に係止されたままの編目を、２重の丸印は重ね目を、Ｖ字は掛け目を示す。また、図２、図３におけるループ概略図で示す太線（編目列７）は、編成するタイミングが他の編目とことなることを示す。
【実施例】
【００１２】
図１は、本発明の実施例である引き返し編成方法の編成図である。以下、図１で示す編成ステップＳ１〜Ｓ６について説明する。  
【００１３】
Ｓ１は、引き返し編成を開始する直前の編成コースでベース編地１の編成を示す。給糸口６を図の左方向に移動させながら、ＦＢの編針Ｇ〜Ａで編目を形成する。Ｓ２では、折り返しの位置となる前後一方側のＦＢの編針Ｅに係止する編目２を前後他方側のＢＢの編針ｅに目移しする。この目移しはＦＢの編針Ｅを空針とする為に行なうもので、そのことが実施出来る位置であれば移動先は他の編針でも構わない。
【００１４】
Ｓ３では、編地幅の一部を往路編成として右方向にＦＢの編針Ａ〜Ｄに係止する編目に続けて新たな編目を形成し、更に空針となったＦＢの編針Ｅに空針ニットで繋ぎとなる編目３を形成する。空針ニットは、往路編成の終端部の編目として形成される。Ｓ４では、Ｓ３の往路編成に対してウエール方向の編目を２目単位で設ける復路編成として、左方向にＦＢの編針Ｄ〜Ａで新たな編目を形成する。
【００１５】
Ｓ５では、Ｓ２でＢＢに一旦目移しした編目２をＦＢの編針Ｅに戻す。Ｓ３の往路編成で形成した繋ぎとなる編目３が編地の表側に表れるように、目移しで戻した編目２を重ねて重ね目４（３，２）を形成する。Ｓ６では、Ｓ５で形成した重ね目４（３，２）に続けて編成する新たな編目５を含めた編目列７を形成する。この傾斜部を形成してから行うＳ６の編成は、図１の編成図においてリピート単位の編成Ｓ２〜Ｓ５を１回のみ示している為、Ｓ４から続くニット編成となっている。仮に、後述する傾斜部を形成する場合には、更にＳ２〜Ｓ５を繰り返す為、それらが終了してからの編成となる。Ｓ５で形成した重ね目４（３，２）を残したまま他の重ね目４（３，２）も形成し、最後にそれらの重ね目４（３，２）を含め、傾斜部を形成している端部の編目を編成することで、図２（ａ）に太線で示す編目列７を形成する。
【００１６】
傾斜部を形成するには、折り返し位置をずらしながらリピート単位のＳ２〜Ｓ５の編成を繰り返せば良い。例えば、図１のＳ５の後で、往路編成と復路編成間の折り返しとなる次の位置をＦＢの編針Ｃとし、Ｓ２〜Ｓ５と同様の編成を１回行なう。紙面左側の領域で多くの編目が形成される為、左上がりの傾斜部が形成できる。ずらす編目数の増減やリピート単位の編成間にニット編成を行なうことで傾斜角度を調整することができる。
【００１７】
図２では、図１のＳ１〜Ｓ６と更にリピート単位のＳ２〜Ｓ５を１回加えた工程により得られる傾斜部を備える編地のループ概略図を示す。図２（ａ）は編成時の状態で、図２（ｂ）は裏返して使用する際の部分的な拡大図である。図２（ａ）によれば、ＦＢの編針Ａと編針Ｂの各編針では６目の編目を形成し、ＦＢの編針Ｃと編針Ｄの各編針では４目の編目を形成し、ＦＢの編針Ｅ〜編針Ｇの各編針では２目の編目を形成しており、傾斜部の形成と編目の段差が生じているが、折り返しの位置にあたるＦＢの編針Ｅと編針Ｃでは繋ぎとなる編目３を形成し、孔塞ぎを行っている。図２（ｂ）には、繋ぎとなる編目３の渡り糸（シンカーループ）同士が交差部８を形成することを示しているが、編糸の拡がりを抑えることで渡り糸が拡がり難くなり目立ちにくい。
【００１８】
本実施例では、図１のＳ３で繋ぎとなる編目３を往路編成の終端の編針Ｅで形成することを示したが、復路編成の始端の編針Ｅで形成しても構わない。その復路編成で繋ぎとなる編目１３を形成したループ概略図を図３に示す。図３は、編成後に裏返したループ概略図を示しているが、図２（ｂ）で示したループ図とは、渡り糸（シンカーループ）同士の交差部８（図２（ｂ）参照）を備えない点が大きく異なる。滑りやすい編み糸などでは、この交差部８の存在が渡り糸の拡がりを抑え、更に綺麗に仕上げることができる。好ましくは往路編成で繋ぎとなる編目３を形成するのが良い。
【００１９】
なお、本実施例ではＦＢの編針を使用した天竺編目で説明を行ったが、往路編成と復路編成の間に形成する重ね目４の表裏の位置関係を崩さなければ、ニット編成については表目や裏目の限定はない。つまり、裏返した際に目立ってしまう繋ぎとなる編目３を製品等の表側と逆の位置に配置する。例えば、図１のＳ３でＦＢの編針Ｅ（空針）に対して繋ぎとなる編目３の形成を行なうのではなく、ＢＢの編針ｅの編目２に直接繋ぎとなる編目３を形成しても良い。Ｓ１でＦＢの編針Ｅに係止していた編目が引き返し編成時には裏側に配置され、裏返して使用する際には表側に表れて繋ぎとなる編目３を隠すことが出来るからである。また、繋ぎとなる編目３は、往路編成と復路編成のそれぞれにおいて、往路と復路のどちらで形成しても良い。つまり蹴り返しなどを用いた捻られた編目でも良い。
【符号の説明】
【００２０】
１  ベース編地
２，５  編目
３，１３  繋ぎとなる編目
４  重ね目
６  給糸口
７  編目列
８  交差部
【図１】
2015105455.tif 000003
【図２】
2015105455.tif 000004
【図３】
2015105455.tif 000005